(57)【要約】【課題】コージェネレーションシステムの貯湯装置等に使用可能で、設置面積が小さく、かつ製作が容易な貯湯タンクを提供する。【解決手段】貯湯タンク１は、断面形状が楕円形又は長円形の胴部を備え、内部に入水圧を受けるものである。貯湯タンク１は補強部材３を有し、補強部材３は一対の当て板１５，１５と、それらの間に取り付けられた複数の支持部材１６からなる。支持部材１６は板状であり、その平面１８が上鏡部６又は下鏡部７に対向する姿勢で、当て板１５，１５に固定されている。補強部材３は胴部５の楕円形又は長円形の長軸Ａに支持部材１６が沿う方向に設けられており、当て板１５，１５は長軸Ａと胴部５との接点近傍と接触又は接触し得る位置にある。貯湯タンク１に入水圧が掛かったときに当て板１５，１５が前記接点近傍と接触し、支持部材１６が圧縮力を保持する。【選択図】図２
2010084999.tif 000002
【特許請求の範囲】
【請求項１】
断面形状が楕円形又は長円形の胴部を備え、内部に入水圧を受ける貯湯タンクであって、内部に補強部材が設けられ、前記補強部材は一対の当て板と当該当て板の間に取り付けられた支持部材とを有し、前記補強部材は胴部の楕円形又は長円形の長軸に前記支持部材が沿う方向に設けられており、当て板は前記長軸と胴部との接点近傍と接触又は接触し得る位置にあり、貯湯タンクに入水圧が掛かったときに当て板が前記接点近傍と接触し、支持部材が圧縮力を保持することを特徴とする貯湯タンク。
【請求項２】
貯湯タンクは内部に温度成層を形成させて湯を貯留するものであり、支持部材は板状であり、支持部材は板状の平面が前記長軸の全てを含む平面と交わる姿勢で固定されていることを特徴とする請求項１に記載の貯湯タンク。
【請求項３】
貯湯タンクは内部に温度成層を形成させて湯を貯留するものであり、縦置き姿勢で設置され、上端部と下端部の少なくとも一方に入湯口となる開口が設けられ、当該開口の真下又は真上に補強部材の一部が位置し、入湯口から速度を有して導入された湯が速度を維持した状態で補強部材の一部に当たり、湯の速度が緩和されることを特徴とする請求項１又は２に記載の貯湯タンク。
【請求項４】
入湯口から速度を有して導入された湯が速度を維持した状態で支持部材に当たり、湯の速度が緩和されることを特徴とする請求項３に記載の貯湯タンク。
【請求項５】
補強部材は支持部材の一部に設けられた緩衝部材をさらに有し、入湯口から速度を有して導入された湯が速度を維持した状態で緩衝部材に当たり、湯の速度が緩和されることを特徴とする請求項３に記載の貯湯タンク。
【請求項６】
支持部材は一連の管で形成されており、当該管の両端が貯湯タンク外と連通していることを特徴とする請求項１に記載の貯湯タンク。
【請求項７】
貯湯タンクは内部に温度成層を形成させて湯を貯留するものであり、縦置き姿勢で設置され、上端部と下端部の少なくとも一方に入湯口となる開口が設けられ、補強部材は支持部材の一部に設けられた緩衝部材をさらに有し、当該開口の真下又は真上に緩衝部材が位置し、入湯口から速度を有して導入された湯が速度を維持した状態で緩衝部材に当たり、湯の速度が緩和されることを特徴とする請求項６に記載の貯湯タンク。
【発明の詳細な説明】
【技術分野】
【０００１】
本発明は、内部に入水圧を受ける貯湯タンクに関する。本発明の貯湯タンクは、例えばコージェネレーションシステムの貯湯装置に使用可能であり、設置面積が小さく、かつ製作が容易なものである。
【背景技術】
【０００２】
燃料電池等の発電装置において発生した排熱が持つ熱エネルギーを湯水を介して回収し、貯湯タンクに貯留可能な熱回収装置を備えたコージェネレーションシステムが知られている（例えば、特許文献１）。かかる構成のコージェネレーションシステムは、発電装置と貯湯タンクとの間で湯水が循環可能なタンク循環流路を有し、当該タンク循環流路を介して循環する湯水によって発電装置を冷却し、これに伴って加熱された湯水を貯湯タンクに貯留する。
【０００３】
図１９は、従来技術に係るコージェネレーションシステムの主要部の構成を示す説明図である。図１９に示すコージェネレーションシステム１００は、熱・電気発生装置たる燃料電池装置１０１と、給湯システムたる貯湯装置によって構成されている。燃料電池装置１０１は、燃料電池１０２と循環ポンプ１０３によって構成されている。燃料電池１０２は熱交換器を有しており、内部に通水可能であり、内部に通水することにより燃料電池１０２の排熱を奪うことができる。
【０００４】
貯湯装置は貯湯タンク１０５を中心とするものであり、貯湯タンク１０５に給水するための給水流路１２０と、貯湯タンク１０５から燃料電池装置１０１へ湯水を送る加熱往き流路１１２と、燃料電池装置１０１から貯湯タンク１０５へ湯水を送る加熱戻り流路１１３と、貯湯タンク１０５から湯水を取り出すための給湯流路１２１とを有する。また、給水流路１２０と加熱往き流路１１２との間、並びに、加熱戻り流路１１３と給湯流路１２１との間からそれぞれ給水側分岐流路１１６と給湯側分岐流路１１７が分岐し、貯湯タンク１０５の上下に設けられ且つタンク内部に連通する開口に結合されている。さらに、給水流路１２０、加熱往き流路１１２、加熱戻り流路１１３、給湯流路１２１、給水側分岐流路１１６、および給湯側分岐流路１１７には、それぞれ弁１３０，１３１，１３２，１３３，１３４，１３５が設けられている。
【０００５】
貯湯タンク１０５に貯留された湯は循環ポンプ１０３によって常時循環しており、具体的には、給水側分岐流路１１６と加熱往き流路１１２を経て燃料電池１０２を通り、加熱戻り流路１１３と給湯側分岐流路１１７を経て、上側から貯湯タンク１０５に戻る。貯湯タンク１０５内の湯を取り出す場合（給湯時）は、給水流路１２０と給水側分岐流路１１６を経て貯湯タンク１０５内に下側から給水し、給湯側分岐流路１１７と給湯流路１２１から湯を取り出す。ここで、循環時と給湯時のいずれにおいても、貯湯タンク１０５内の温度成層をできるだけ乱さないことが重要である。
【０００６】
ところで上記のような貯湯装置に用いられる貯湯タンクは内圧（入水圧）が掛かるものであるので、耐圧性の面で有利な円筒形状のものがよく採用されている。また円筒形状の方がより大きい容積を確保できるという利点もある。一方、円筒形状の貯湯タンクは大きい設置面積を必要とし、住宅の側壁等の狭い場所に設置するには不利である。そこで、設置面積が小さい円筒以外の形状を有する薄型の貯湯タンクが提案されている。例えば、特許文献２には断面形状が楕円形の貯湯タンクが開示されている。この貯湯タンクは、楕円の短径方向に沿って装着された補強板をタンク内部に備えている。ここで当該補強板は、その両端をタンク内壁に溶接等で直接接合することにより装着されている。また補強板の装着方向に関しては、長径方向でもよい旨の示唆がある。
【特許文献１】特開２００７−６４５２６号公報
【特許文献２】特開２００５−８３５９７号公報
【発明の開示】
【発明が解決しようとする課題】
【０００７】
しかし、特許文献２に開示されている貯湯タンクでは、補強板を溶接等でタンクに直接接合する必要があるので、製作が煩雑である。当該現状に鑑み、本発明は、コージェネレーションシステムの貯湯装置等に使用可能で、設置面積が小さく、かつ製作が容易な貯湯タンクを提供することを目的とする。
【課題を解決するための手段】
【０００８】
上記した課題を解決するための請求項１に記載の発明は、断面形状が楕円形又は長円形の胴部を備え、内部に入水圧を受ける貯湯タンクであって、内部に補強部材が設けられ、前記補強部材は一対の当て板と当該当て板の間に取り付けられた支持部材とを有し、前記補強部材は胴部の楕円形又は長円形の長軸に前記支持部材が沿う方向に設けられており、当て板は前記長軸と胴部との接点近傍と接触又は接触し得る位置にあり、貯湯タンクに入水圧が掛かったときに当て板が前記接点近傍と接触し、支持部材が圧縮力を保持することを特徴とする貯湯タンクである。
【０００９】
本発明の貯湯タンクは、断面形状が楕円形又は長円形の胴部を備え、内部に入水圧を受ける貯湯タンクに関するものであり、内部に補強部材が設けられている。そして本発明の貯湯タンクは、当該補強部材の構成と設置方向に特徴を有している。すなわち、補強部材は一対の当て板と支持部材とを有しており、当該支持部材は一対の当て板の間に取り付けられている。また補強部材の設置方向は、胴部の楕円形又は長円形の長軸に補強部材の支持部材が沿う方向である。さらに本発明の貯湯タンクは、補強部材と胴部との位置関係と補強の機構にも特徴を有している。すなわち、補強部材の当て板は、楕円形又は長円形の長軸と胴部との接点近傍と接触又は接触し得る位置にある。そして、貯湯タンクに入水圧が掛かったときに、当て板が楕円形又は長円形の長軸と胴部との接点近傍と接触し、支持部材が圧縮力を保持する。本発明の貯湯タンクは、胴部の断面形状が楕円形又は長円形であるので、断面形状が円形の貯湯タンクに比べて薄型となり、設置に必要な面積が小さい。また、タンク内部に水圧が掛かると胴部の断面形状ができるだけ円形に近い形状に戻ろうとするが、本発明の貯湯タンクでは胴部の楕円形又は長円形の長軸に沿う方向に支持部材が配されているので、支持部材が圧縮力を受け、胴部の膨らみが防止される。さらに、補強部材が上記した特定の方向に設置されているので、補強部材がタンク内部で確実に保持され、胴部に対してずれたり回転したりすることがない。またさらに、本発明の貯湯タンクでは、当て板が楕円形又は長円形の長軸と胴部との接点近傍と接触する構成を採用しているので、補強部材を設置する際に溶接等を行う必要がなく、タンクの製作が容易である。
【００１０】
請求項２に記載の発明は、貯湯タンクは内部に温度成層を形成させて湯を貯留するものであり、支持部材は板状であり、支持部材は板状の平面が前記長軸の全てを含む平面と交わる姿勢で固定されていることを特徴とする請求項１に記載の貯湯タンクである。
【００１１】
本発明の貯湯タンクは、内部に温度成層を形成させて湯を貯留するものである。そして、補強部材の支持部材は板状であり、板状の平面が楕円形又は長円形の長軸の全てを含む平面と交わる姿勢で固定されている。本発明の貯湯タンクでは、板状の支持部材が特定の姿勢で固定されているので、タンク内部の対流が阻止され、温度成層の乱れが高度に抑えられる。
【００１２】
請求項３に記載の発明は、貯湯タンクは内部に温度成層を形成させて湯を貯留するものであり、縦置き姿勢で設置され、上端部と下端部の少なくとも一方に入湯口となる開口が設けられ、当該開口の真下又は真上に補強部材の一部が位置し、入湯口から速度を有して導入された湯が速度を維持した状態で補強部材の一部に当たり、湯の速度が緩和されることを特徴とする請求項１又は２に記載の貯湯タンクである。
【００１３】
本発明の貯湯タンクも内部に温度成層を形成させて湯を貯留するものであり、縦置き姿勢で設置される。本発明の貯湯タンクでは、上端部と下端部の少なくとも一方に入湯口となる開口が設けられ、当該開口の真下又は真上に補強部材の一部が位置している。そして、入湯口から速度を有して導入された湯が速度を維持した状態で補強部材の一部に当たり、湯の速度が緩和される。本発明の貯湯タンクによれば、補強部材の一部がタンク内部に導入された湯に対する緩衝材として機能し、温度成層の乱れが高度に抑えられる。なお、本発明において「入湯口」は入水口をも包含する概念であり、入湯口から湯のみならず水が導入されることもある。すなわち、入湯口から速度を有して導入された水が速度を維持した状態で補強部材の一部に当たり、水の速度が緩和される貯湯タンクも本発明に含まれる。
【００１４】
請求項４に記載の発明は、入湯口から速度を有して導入された湯が速度を維持した状態で支持部材に当たり、湯の速度が緩和されることを特徴とする請求項３に記載の貯湯タンクである。
【００１５】
本発明の貯湯タンクでは、入湯口から導入された湯が補強部材の一部たる支持部材に当たり、湯の速度が緩和される。かかる構成により、支持部材がタンク内部に導入された湯に対する緩衝材として機能し、温度成層の乱れが高度に抑えられる。さらに、支持部材の形状を工夫することで、緩衝材としての機能を容易に高めることができる。
【００１６】
請求項５に記載の発明は、補強部材は支持部材の一部に設けられた緩衝部材をさらに有し、入湯口から速度を有して導入された湯が速度を維持した状態で緩衝部材に当たり、湯の速度が緩和されることを特徴とする請求項３に記載の貯湯タンクである。
【００１７】
本発明の貯湯タンクでは、支持部材に緩衝部材が設けられており、入湯口から導入された湯が当該緩衝部材に当たり、湯の速度が緩和される。かかる構成により、補強部材の一部たる緩衝部材がタンク内部に導入された湯に対する緩衝材として機能し、温度成層の乱れが高度に抑えられる。さらに、緩衝部材の形状を工夫することで、緩衝材としての機能を容易に高めることができる。緩衝部材の例としては、バッフル板が挙げられる。
【００１８】
請求項６に記載の発明は、支持部材は一連の管で形成されており、当該管の両端が貯湯タンク外と連通していることを特徴とする請求項１に記載の貯湯タンクである。
【００１９】
本発明の貯湯タンクでは、支持部材が一連の管で形成されており、当該管の両端が貯湯タンク外と連通している。そのため、支持部材に他の機能を付加することができる。例えば、管の両端を集熱器等に接続し、得られた熱を循環させることで、支持部材は熱交換器として機能し、タンク内に蓄熱することが可能となる。
【００２０】
請求項７に記載の発明は、貯湯タンクは内部に温度成層を形成させて湯を貯留するものであり、縦置き姿勢で設置され、上端部と下端部の少なくとも一方に入湯口となる開口が設けられ、補強部材は支持部材の一部に設けられた緩衝部材をさらに有し、当該開口の真下又は真上に緩衝部材が位置し、入湯口から速度を有して導入された湯が速度を維持した状態で緩衝部材に当たり、湯の速度が緩和されることを特徴とする請求項６に記載の貯湯タンクである。
【００２１】
かかる構成により、温度成層の乱れが高度に抑えられると共にタンク内に蓄熱すること等が可能な貯湯タンクが提供される。なお、本発明においても「入湯口」は入水口をも包含する概念であり、入湯口から湯のみならず水が導入されることもある。すなわち、入湯口から速度を有して導入された水が速度を維持した状態で補強部材の一部に当たり、水の速度が緩和される貯湯タンクも本発明に含まれる。
【発明の効果】
【００２２】
請求項１に記載の発明によれば、断面形状が円形の貯湯タンクに比べて設置に必要な面積が小さく、省スペースの点で有利である。また、胴部の楕円形又は長円形の長軸に沿う方向に支持部材が配されているので、支持部材が胴部からの圧縮力を受け、胴部の膨らみが防止される。さらに、補強部材が特定の方向に設置されているので、補強部材がタンク内部で確実に保持され、胴部に対してずれたり回転したりすることがない。またさらに、当て板が楕円形又は長円形の長軸と胴部との接点近傍と接触する構成を採用しているので、補強部材を設置する際に溶接等を行う必要がなく、タンクの製作が容易である。
【００２３】
請求項２，３，４，５に記載の発明によれば、上記の効果に加え、温度成層の乱れが高度に抑えられる。
【００２４】
請求項６，７に記載の発明によれば、上記の効果に加え、多機能な支持部材を備えた貯湯タンクが提供される。
【発明を実施するための最良の形態】
【００２５】
以下、本発明の実施形態について図面を参照しながら説明する。図１は、本発明の第一実施形態に係る貯湯タンクの外観を示す斜視図である。図２は、図１の貯湯タンクの組み立て構造を示す分解斜視図である。図３は、図１の貯湯タンクの内部構造を示す正面視縦断面図である。図４は、図１の貯湯タンクの内部構造を示す側面視縦断面図である。図５は、図１の貯湯タンクの内部構造を示す平面視横断面図である。
【００２６】
本発明の第一実施形態に係る貯湯タンク１は、図１９に示す様なコージェネレーションシステムの給湯装置等に使用されるものであり、内部に入水圧を受けるものである。図１〜５に示す様に、貯湯タンク１はタンク本体２と補強部材３を基本構成とし、縦置き姿勢で使用される。タンク本体２は、胴部５、上鏡部６、及び下鏡部７からなる。胴部５はタンク本体２の主要部分であり、その形状は水平方向の断面形状が楕円形又は長円形の筒状である。上鏡部６は貯湯タンク１の上端部を構成しており、胴部５の上部に位置し、胴部５を上方から塞いでいる。上鏡部６の平面視における略中央位置には、タンク内部８と連通する開口１０が設けられている。一方、下鏡部７は貯湯タンク１の下端部を構成しており、胴部５の下部に位置し、胴部５を下方から塞いでいる。下鏡部７の底面視における略中央位置には、タンク内部と連通する開口１１が設けられている。
【００２７】
胴部５、上鏡部６、下鏡部７はいずれも厚み約１．２ｍｍのステンレススティール製であり、胴部５と上鏡部６、並びに、胴部５と下鏡部７とはいずれも溶接により接合されている。タンク本体２の容積は１４０Ｌ程度であり、胴部５の高さは約１３００ｍｍ、平面視（楕円形又は長円形）における長軸の長さは約５００ｍｍ、短軸の長さは約２５０ｍｍである。なお、発明の理解を容易にするために、図１〜５並びに後述する図６〜１８において、各部材の厚みは誇張して描かれている。
【００２８】
貯湯タンク１は、タンク本体２の内部８に補強部材３を備えている。図２〜５に示す様に、補強部材３は一対の当て板１５，１５と複数の支持部材１６とから構成され、胴部５の楕円形又は長円形の長軸Ａに支持部材１６が沿う方向に設けられている。当て板１５は縦長の薄板であり、胴部５の内面に合致するように反った形状を有し、さらに詳細には、図２，５に示す様に、長軸Ａと胴部５の内面との接点１７近傍の形状に合致する形状を有している。補強部材３をタンク本体２に設置した状態において、当て板１５，１５は接点１７，１７の近傍と接触する位置又は接触し得る位置にある。すなわち、当て板１５，１５は胴部５に直接接合されておらず、もちろん溶接もされていない。
【００２９】
支持部材１６は、一対の当て板１５，１５の間に複数取り付けられている。支持部材１６は板状の部材であり、その板状の平面１８（板の厚み方向に対して直交する面）が上鏡部６又は下鏡部７に対向する姿勢で、当て板１５，１５に固定されている。換言すれば、平面１８は、胴部５における長軸Ａの全てを含む平面と交わっており、貯湯タンク１を縦置き姿勢で設置したときに支持部材１６の厚み方向が上下方向となり、平面１８が真上または真下に向いている。補強部材３をタンク本体２に設置した状態において、最上位に位置する支持部材１６は開口１０の真下に、最下位に位置する支持部材１６は開口１１の真上に位置する。当て板１５，１５と支持部材１６はいずれもステンレススティール製である。
【００３０】
なお本実施形態では、支持部材１６の固定姿勢たる「平面１８が長軸Ａの全てを含む平面と交わる姿勢」として平面１８が真上または真下を向く姿勢を採用しているが、平面１８が斜め上または斜め下を向く姿勢を採用してもよい。
【００３１】
開口１０，１１はいずれもタンク本体２の内部８と連通しており、入湯口又は入水口として機能できるものである。例えば、貯湯タンク１を図１９に示す様なコージェネレーションシステムに採用する場合、循環時は燃料電池１０２を通った湯が開口１０から導入される。
【００３２】
上述のように、貯湯タンク１はタンク本体２と補強部材３とを備えており、補強部材３の当て板１５，１５は接点１７，１７の近傍と接触する位置又は接触し得る位置にある（図５）。そして、タンクの内部８に入水圧が掛かって胴部５の断面形状ができるだけ円形に近い形状に戻ろうとすると、当て板１５，１５が接点１７，１７の近傍に接触し、支持部材１６が圧縮力を保持することとなる。すなわち、本実施形態の貯湯タンク１では、補強部材３が胴部５に溶接等で直接接合されていないので、タンクの製作が容易である。また、補強部材３の設置方向が胴部５の楕円形又は長円形の長軸Ａに沿う方向であるので、補強部材３がタンク本体２の内部で回転することがない。さらに、本実施形態の貯湯タンク１では、板状の支持部材１６が特定の姿勢で固定されているので、タンク内部における湯水の対流が阻止され、温度成層の乱れが高度に抑えられる。
【００３３】
上記した第一実施形態では、板状の支持部材１６における平面１８の形状が長方形の例を示したが、当該平面の形状として他の形状を採用してもよい。図６は、本発明の第二実施形態に係る貯湯タンクの組み立て構造を示す分解斜視図である。図７は、図６の貯湯タンクの内部構造と湯の流れを示す正面視縦断面図である。図７に示す第二実施形態に係る貯湯タンク２１では、補強部材２３が一対の当て板１５，１５の間に備える複数の支持部材のうち、最上位と最下位にある支持部材の形状が第一実施形態のものと異なっている。すなわち、最上位と最下位にある板状の支持部材２６は、その平面２８の中央付近に拡大平面部２２を有している。拡大平面部２２は平面２８の一部を幅方向に広げて面積を大きくしたものであり、開口１０，１１の真下または真上に位置している。例えば開口１０から湯を導入すると、図７の矢印で示す様に、導入された湯が速度を維持した状態で開口１０の真下の拡大平面部２２に当たり、湯の速度が緩和される。その結果、タンク内で形成された温度成層の乱れが高度に抑えられる。開口１１から低温水を導入する場合も同様であり、導入された低温水が速度を維持した状態で開口１１の真上の拡大平面部２２に当たり、低温水の速度が緩和され、タンク内で形成された温度成層の乱れが高度に抑えられる。なお、本実施形態では拡大平面部２２を最上位と最下位の支持部材に設けているが、最上位と最下位のいずれか一方の支持部材のみに設けてもよい。
【００３４】
上記した第二実施形態は、支持部材自体の形状を工夫することで導入された湯の速度を緩和するものであるが、他の構成によって同様の作用を得ることもできる。図８は、本発明の第三実施形態に係る貯湯タンクの組み立て構造を示す分解斜視図である。図９は、図８の貯湯タンクの内部構造と湯の流れを示す正面視縦断面図である。図８に示す第三実施形態に係る貯湯タンク３１では、補強部材３３が一対の当て板１５，１５の間に備える複数の支持部材のうち、最上位の支持部材３６にバッフル板（緩衝部材）３２が設けられており、バッフル板３２が補強部材３３の一部を構成している。バッフル板（緩衝部材）３２は支持部材３６の中央付近に設けられており、略円形の平面部３４を有している。平面部３４の直径は支持部材３６の幅方向の長さよりも大きく、平面部３４が支持部材３６の中央付近を覆っている。また平面部３４は、開口１０の真下に位置している。例えば開口１０から湯を導入すると、図９の矢印で示す様に、導入された湯が速度を維持した状態でバッフル板３２の平面部３４に当たり、湯の速度が緩和される。その結果、タンク内で形成された温度成層の乱れが高度に抑えられる。なお、本実施形態ではバッフル板３２を最上位の支持部材３６のみに設けているが、最下位の支持部材に設けてもよく、両方に設けてもよい。
【００３５】
上記した実施形態では、いずれも補強部材が複数の支持部材を有する構成を示したが、支持部材は一つの部材からなるものでもよい。図１０は、本発明の第四実施形態に係る貯湯タンクの組み立て構造を示す分解斜視図である。図１１は、本発明の第五実施形態に係る貯湯タンクの組み立て構造を示す分解斜視図である。図１２は、図１１の貯湯タンクの内部構造を示す側面視縦断面図である。
【００３６】
図１０に示す第四実施形態に係る貯湯タンク４１では、支持部材４６が一枚の板で構成されている。すなわち、本実施形態では補強部材４３が一対の当て板１５，１５の間に平板状の板からなる支持部材４６を備えており、タンクの内部８を縦に二分している。本実施形態では支持部材４６が一枚の板からなるので、貯湯タンク４１の製作が特に容易である。
【００３７】
一方、図１１，１２に示す第五実施形態に係る貯湯タンク５１は、支持部材５６が一枚の板で構成されタンクの内部８を縦に二分している点で第四実施形態と共通しているが、支持部材５６の形状が異なっている。すなわち、図１１，１２に示す様に、支持部材５６は一枚の板体が、ほぼ等間隔に設定された山線と谷線に沿って交互に折られた形状を有している。本実施形態によれば、支持部材５６の水平方向の圧縮力に対する強度が特に高い。
【００３８】
第一実施形態における複数の支持部材１６の特徴と、第四実施形態における一枚の板体からなる支持部材４６の特徴とを組み合わせた実施形態も可能である。図１３は、本発明の第六実施形態に係る貯湯タンクの組み立て構造を示す分解斜視図である。図１４は、図１３の貯湯タンクの内部構造を示す側面視縦断面図である。第六実施形態に係る貯湯タンク６１が備える補強部材６３の支持部材６６は、１枚の垂直板６７と４枚の水平板６８とで構成されている。垂直板６７は図１０に示す支持部材４６と基本的に同じものであり、タンクの内部８を二分している。４枚の水平板６８は垂直板６７に対して十字に交差するように設けられており、垂直方向に略等間隔に配置されている。本実施形態の場合も、支持部材６６の水平方向の圧縮力に対する強度が特に高い。
【００３９】
上記した実施形態では、いずれも支持部材が板状の例を示した。しかしながら、本発明はこれに限定されるものではなく、支持部材は板状以外の形状を有するものでもよい。図１５は、本発明の第七実施形態に係る貯湯タンクの組み立て構造を示す分解斜視図である。図１５に示す第七実施形態に係る貯湯タンク７１では、支持部材７６が棒状又は管状である。すなわち、本実施形態では補強部材７３が一対の当て板１５，１５の間に棒状又は管状の支持部材７６を複数備えている。本実施形態の場合も、支持部材７６の水平方向の圧縮力に対する強度が特に高い。
【００４０】
第七実施形態を基本として、支持部材に新たな機能を付加することもできる。図１６は、本発明の第八実施形態に係る貯湯タンクの組み立て構造を示す分解斜視図である。図１７は、図１６の貯湯タンクの内部構造を示す正面視縦断面図である。図１６に示す第八実施形態に係る貯湯タンク８１では、補強部材８３の支持部材８６が一連の管で構成されており、その両端が貯湯タンク８１の外部と連通している。すなわち図１６，１７に示す様に、本実施形態では、一対の当て板１５，１５の間に支持部材８６を備えており、支持部材８６は水平方向に延びる５本の水平管８４と、上下の水平管８４同士を端部で連通させる４本の垂直管８５からなり、全体で一連の管を構成している。最上位と最下位の水平管８４の末端は当て板１５，１５とタンク本体２を挿通し、外部と連通している。本実施形態によれば、例えば、一連の管からなる支持部材８６の中に太陽集熱器等で熱せられた熱媒体を通すことで、支持部材８６を熱交換器としても機能させて貯湯タンク８１内に蓄熱することが可能となる。
【００４１】
第八実施形態をさらに発展させた実施形態を図１８に示す。図１８は、本発明の第九実施形態に係る貯湯タンクの組み立て構造を示す分解斜視図である。図１８に示す第九実施形態に係る貯湯タンク９１は、図１６に示す貯湯タンク８１にバッフル板（緩衝部材）３２を追加したものである。すなわち、貯湯タンク９１においては、最上位の水平管９４の中央付近にバッフル板３２が設けられており、バッフル板３２が補強部材９３の一部を構成している。バッフル板３２は、図８に示す第三実施形態で採用したものと基本的に同じものであり、平面部３４が支持部材９６の中央付近を覆っており、平面部３４は開口１０の真下に位置している。開口１０から湯を導入したときの流れは、図９の矢印で示す流れと基本的に同じである。
【００４２】
本発明の貯湯タンクは、例えばコージェネレーションシステムに使用可能なものであるが、それ以外の用途にも使用できることは勿論である。
【図面の簡単な説明】
【００４３】
【図１】本発明の第一実施形態に係る貯湯タンクの外観を示す斜視図である。
【図２】図１の貯湯タンクの組み立て構造を示す分解斜視図である。
【図３】図１の貯湯タンクの内部構造を示す正面視縦断面図である。
【図４】図１の貯湯タンクの内部構造を示す側面視縦断面図である。
【図５】図１の貯湯タンクの内部構造を示す平面視横断面図である。
【図６】本発明の第二実施形態に係る貯湯タンクの組み立て構造を示す分解斜視図である。
【図７】図６の貯湯タンクの内部構造と湯の流れを示す正面視縦断面図である。
【図８】本発明の第三実施形態に係る貯湯タンクの組み立て構造を示す分解斜視図である。
【図９】図８の貯湯タンクの内部構造と湯の流れを示す正面視縦断面図である。
【図１０】本発明の第四実施形態に係る貯湯タンクの組み立て構造を示す分解斜視図である。
【図１１】本発明の第五実施形態に係る貯湯タンクの組み立て構造を示す分解斜視図である。
【図１２】図１１の貯湯タンクの内部構造を示す側面視縦断面図である。
【図１３】本発明の第六実施形態に係る貯湯タンクの組み立て構造を示す分解斜視図である。
【図１４】図１３の貯湯タンクの内部構造を示す側面視縦断面図である。
【図１５】本発明の第七実施形態に係る貯湯タンクの組み立て構造を示す分解斜視図である。
【図１６】本発明の第八実施形態に係る貯湯タンクの組み立て構造を示す分解斜視図である。
【図１７】図１６の貯湯タンクの内部構造を示す正面視縦断面図である。
【図１８】本発明の第九実施形態に係る貯湯タンクの組み立て構造を示す分解斜視図である。
【図１９】従来技術に係るコージェネレーションシステムの主要部の構成を示す説明図である。
【符号の説明】
【００４４】
１，２１，３１，４１，５１，６１，７１，８１，９１  貯湯タンク
３，２３，３３，４３，５３，６３，７３，８３，９３  補強部材
５  胴部
８  内部
１０，１１  開口
１５  当て板
１６，２６，３６，４６，５６，６６，７６，８６，９６  支持部材
１７  接点
１８，２８  平面
３２  バッフル板（緩衝部材）
【図１】
2010084999.tif 000003
【図２】
2010084999.tif 000004
【図３】
2010084999.tif 000005
【図４】
2010084999.tif 000006
【図５】
2010084999.tif 000007
【図６】
2010084999.tif 000008
【図７】
2010084999.tif 000009
【図８】
2010084999.tif 000010
【図９】
2010084999.tif 000011
【図１０】
2010084999.tif 000012
【図１１】
2010084999.tif 000013
【図１２】
2010084999.tif 000014
【図１３】
2010084999.tif 000015
【図１４】
2010084999.tif 000016
【図１５】
2010084999.tif 000017
【図１６】
2010084999.tif 000018
【図１７】
2010084999.tif 000019
【図１８】
2010084999.tif 000020
【図１９】
2010084999.tif 000021